(57)【要約】【課題】被写体となる人物毎の特徴や癖等に依存して被写体を撮像に適した状態に導き、品質の高い画像を記録できるようにする。【解決手段】カメラ撮影時に被写体となる人物に対して個人認証を行い、画像エンジン１５により、緊張度、笑顔度、まばたき度、赤目度等の各個人の特徴や癖を被写体関連情報として操作履歴データベース３２に保持しておく。次回、個人認証済みの人物を撮影する際に、被写体関連情報取得及び働きかけ要否決定部３１は、操作履歴データベース３２から被写体関連情報を読み出し、被写体関連情報に応じて働きかけを指示し、働きかけ実行部３３は、働きかけを実行し、その後、撮像部１１により撮像を行う。【選択図】図１
2012070222.tif 000002
【特許請求の範囲】
【請求項１】
被写体の特徴や癖に基づいて、被写体に対する働きかけの要否を決定する働きかけ要否決定部と、
前記働きかけ要否決定部が働きかけ必要と決定すると、被写体に対して働きかけを行う働きかけ実行部と、
前記働きかけ実行部が働きかけを行った後に撮像を行う撮像部と、
を具備する撮像装置。
【請求項２】
さらに、人物毎の癖や特徴を被写体関連情報として記憶する記憶部と、
前記被写体関連情報と働きかけ要否とが対応付けられたルールを記憶するルール記憶部と、
被写体を個人認証する個人認証部と、
前記個人認証結果に基づいて、前記個人認証された被写体に対応する被写体関連情報を前記記憶部から取得する被写体関連情報取得部とを具備し、
前記働きかけ要否決定部は、前記被写体関連情報取得部が取得する被写体関連情報に、前記ルール記憶部の記憶するルールを適用して、被写体に対する働きかけの要否を決定する
ことを特徴とする請求項１に記載の撮像装置。
【請求項３】
前記記憶部に記憶されている人物毎の癖や特徴は、次回以降の撮影時に被写体関連情報として用いられることを特徴とする請求項２に記載の撮像装置。
【請求項４】
被写体を個人認証し、
前記個人認証結果に基づいて、前記個人認証された被写体に対応する被写体関連情報を前記記憶部から取得し、
前記記憶部から取得された被写体関連情報に基づいて、被写体に対する働きかけの要否を決定し、
前記働きかけが必要な場合には、前記被写体に対して働きかけを実行した後に撮像を行う
ようにした撮像方法。
【請求項５】
被写体を個人認証するステップと、
前記個人認証結果に基づいて、前記個人認証された被写体に対応する被写体関連情報を前記記憶部から取得するステップと、
前記記憶部から取得された被写体関連情報に基づいて、被写体に対する働きかけの要否を決定するステップと、
前記働きかけが必要な場合には、前記被写体に対して働きかけを実行した後に撮像を行うステップと
を含むようにしたコンピュータにより実行可能な撮像プログラム。
【発明の詳細な説明】
【技術分野】
【０００１】
本発明は、撮像装置、撮像方法、及び撮像プログラムに関する。
【背景技術】
【０００２】
画像処理パラメータを、過去のユーザの設定値や見本となる設定値を用いて最適に設定できるようにしたものが、以下の特許文献１〜特許文献５に記載されている。
【０００３】
特許文献１に記載の電子カメラシステムは、電子カメラから取り込んだ撮影画像データに対してユーザの指示により補正を行い、修正項目毎の補正値を補正履歴情報として記録し、その補正値に基づいて平均値である代表補正値を算出するパソコンと、パソコンで算出された代表補正値を取り込んで記憶し、その代表値に基づいて撮影時の画像処理条件を補正し撮影を行う電子カメラとで電子カメラシステムを構成することで、過去の画像処理の履歴から精度のよい好みの画質で記録できるようにしたものである。
【０００４】
特許文献２に記載のカメラ装置は、ユーザが新たな被写体を撮影するために撮影パラメータを変更したり、レンズを新たな被写体に向けることによって自動的に撮影パラメータが変更されたりした場合に、スルー画像の一部に、部分的に変更された撮影パラメータに応じて推定される撮影シーンのカテゴリの見本画像を表示する。これによって、ユーザは、被写体や構図を決める作業を行いながら、現在の撮影シーンに類似する撮影条件の設定用の撮影シーンの存在を知ることができ、また、ユーザが見本画像を選択すると、それと対応する撮影条件を直ちに自動設定できるとされている。
【０００５】
特許文献３に記載の撮影情報提供システムは、サーバを介して、サンプル提供者が撮影に用いた情報を一般ユーザに提供することで、カメラの取り扱いに精通していないユーザでも、その撮影条件下において優秀な画像撮影を行うことができるようにしたものである。
【０００６】
特許文献４に記載の画像処理方法は、ユーザが使用した画像の撮影機種・撮影情報、表示方法、処理手順及び処理時間、撮影機種・撮影条件による処理内容を記録しておき、その後同条件の撮影画像が入力されたときには、自動的に保存されている処理パラメータ群から適切な処理手順を選択するようにしたものである。
【０００７】
特許文献５に記載の撮像支援方法は、撮影機能を持つカメラ撮影部を備えた携帯電話端末が、過去の撮影画像とその撮影条件からなる撮影情報を対応付けて撮影履歴データベースに記憶すると共に、その撮影情報を撮影履歴活用部によって検索可能にする撮影状況分析エンジンを備え、この撮影状況分析エンジンを用いて過去の撮影データの撮影条件に基づく新たな撮影を可能にするものである。
【０００８】
これら特許文献１〜特許文献５は、過去のユーザの設定値や、見本となる設定値により、画像処理パラメータを最適に設定するものである。また、これらの画像処理パラメータは、風景、ポートレート、夜景等のシーンに依存するものである。
【０００９】
しかしながら、たとえ、画像処理パラメータが最適に設定されていたとしても、被写体となる人物が緊張して硬直した顔であったり、目を瞑ったりしていては、満足した撮影画像とならない。特許文献１〜特許文献５に示されているものでは、このような各人物の特徴や癖等に依存して被写体を撮像に適した状態に導くことについて言及されていない。
【００１０】
また、特許文献６には、撮影した画像に対して特徴抽出処理を施し、被写体の目や口の形状を抽出し、抽出した形状に基づいて係数を演算し、演算した係数が予め定めた所定閾値以下か否かを判断し、所定閾値以下の場合には、被写体の表情を修正させるためのアドバイスメッセージを生成して出力することで、被写体の表情や姿勢等を検出し、検出した表情や姿勢に応じて適正にアドバイスを行うことができるようにしたデジタルカメラが記載されている。
【００１１】
また、特許文献７には、被写体の動きや、被写体の顔の表情や、被写体の目の状態や、被写体の顔の向き等を検知し、これらの検知結果に対応して、被写体の動きを止めたり、被写体の表情変化を促したり、被写体の目の状態変化を促したり、被写体の顔の向きの変化を促す旨の各指示情報を被写体に向けて可視表示したりするようにした撮像装置が記載されている。
【００１２】
また、特許文献８には、入力された画像から人物の顔画像を検出し、当該検出した顔画像から表情毎に対応した表情評価値を算出し、当該算出された表情評価値と、表情評価値に対応して設けられた表情判定用閾値との関係を顔画像に基づき更新するとともに、当該更新された表情評価値と表情判定用閾値との関係に基づき顔画像の表情を判定する表情認識装置が記載されている。
【先行技術文献】
【特許文献】
【００１３】
【特許文献１】特開２００２−２６２１７４号公報
【特許文献２】特開２００６−１８６６９５号公報
【特許文献３】特開２００７−３６７１６号公報
【特許文献４】特開２００７−２１９７２８号公報
【特許文献５】特開２０１０−４１５２７号公報
【特許文献６】特開２００３−２１９２１８号公報
【特許文献７】特開２００９−２４６８３２号公報
【特許文献８】特開２００９−２５３８４８号公報
【発明の概要】
【発明が解決しようとする課題】
【００１４】
上述のように、特許文献１〜特許文献５は、過去のユーザの設定値や、見本となる設定値により画像処理パラメータを最適に設定するものであり、被写体となる人物の特徴や癖等に依存して被写体を撮像に適した状態に導くものではない。
【００１５】
特許文献６及び特許文献７に示される技術は、現在撮影している被写体の表情や状態に応じて、アドバイスやメッセージを行うものである。しかしながら、これらの特許文献に示されるものは、被写体となる人物の個人認証を行っておらず、各人物の特徴や癖等にかかわらずアドバイスやメッセージを行う。したがって、アドバイスやメッセージを必要としない被写体に対しても、被写体の表情や状態の検出をし続ける点で、演算負荷が高くなり電力消費が発生する。また、特許文献６及び特許文献７に示される技術では、被写体の表情や状態に基づいてアドバイスやメッセージを行うため、撮像直前における被写体の変化には対応できない。例えば、まばたきしやすい被写体が、撮像される瞬間に突然まばたきをすることを防止できない。
【００１６】
特許文献８は、表情評価値を更新していくことで、表情認識の精度を上げることができる。また、この特許文献８には、被写体に対して個人認証を行って人物を判定し、その人物について過去に検出された表情と、被写体の現在の表情とに基づいて撮影を行うか否かを判定することが記載されている。
【００１７】
しかしながら、特許文献８は、表情に応じて撮影を行うか否かを決定するものであり、被写体となる人物毎の特徴や癖等に依存して被写体を撮像に適した状態に導くものではない。
【００１８】
本発明は、上述の課題を鑑み、被写体となる人物に対して働きかけを行って、被写体となる人物毎の特徴や癖等に依存して被写体を撮像に適した状態に導き、品質の高い画像を記録できるようにした撮像装置、撮像方法、及び撮像プログラムを提供することを目的とする。
【課題を解決するための手段】
【００１９】
上述の課題に鑑み、本発明は、被写体の特徴や癖に基づいて、被写体に対する働きかけの要否を決定する働きかけ要否決定部と、働きかけ決定部が働きかけ必要と決定すると、被写体に対して働きかけを行う働きかけ実行部と、働きかけ実行部が働きかけを行った後に撮像を行う撮像部とを具備する撮像装置である。
【００２０】
本発明は、被写体を個人認証し、個人認証結果に基づいて、個人認証された被写体に対応する被写体関連情報を記憶部から取得し、記憶部から取得された被写体関連情報に基づいて、被写体に対する働きかけの要否を決定し、働きかけが必要な場合には、被写体に対して働きかけを実行した後に撮像を行うようにした撮像方法である。
【００２１】
本発明は、被写体を個人認証するステップと、個人認証結果に基づいて、個人認証された被写体に対応する被写体関連情報を記憶部から取得するステップと、記憶部から取得された被写体関連情報に基づいて、被写体に対する働きかけの要否を決定するステップと、働きかけが必要な場合には、被写体に対して働きかけを実行した後に撮像を行うステップとを含むようにしたコンピュータにより実行可能な撮像プログラムである。
【発明の効果】
【００２２】
本発明によれば、カメラ撮影時の被写体となる人物に対して個人認証し、各個人の特徴や癖を被写体関連情報として履歴として保持し、次回、個人認証済みの人物を撮影する際に、被写体関連情報に応じて、働きかけを行っているので、被写体となる人物毎の特徴や癖等に依存して被写体を撮像に適した状態に導き、品質の高い画像を記録できる。
【図面の簡単な説明】
【００２３】
【図１】本発明の一実施形態に係るカメラ付き携帯端末装置の機能に基づくブロック図である。
【図２】同実施形態において、操作履歴データベースに保持されている各個人の被写体関連情報を利用してカメラ撮影を行うときの処理を示すフローチャートである。
【図３】同実施形態に係るカメラ付き携帯端末装置における操作履歴データベースの説明図である。
【発明を実施するための形態】
【００２４】
以下、本発明の実施の形態について図面を参照しながら説明する。図１は、本発明の一実施形態に係るカメラ付き携帯端末装置１の機能に基づくブロック図である。
【００２５】
図１に示すように、携帯端末装置１は、無線通信部１０と、撮像部１１と、画像記録処理部１２と、画像記録部１３と、画像再生処理部１４と、画像エンジン１５と、被写体分析エンジン１６と、位置検出部１７と、表示部１８とを有している。
【００２６】
無線通信部１０は、基地局と無線で通信を行い、電話機能、メール機能、インターネットへの接続機能等を実現する。
撮像部１１は、撮像された被写体像光を光電変換し、被写体像光に基づく撮像信号を出力する。撮像部１１としては、ＣＣＤ(Charge Coupled Device)撮像装置やＣＭＯＳ(Complementary Metal Oxide Semiconductor)撮像装置が用いられる。
【００２７】
画像記録処理部１２は、撮像部１１からの撮像信号の画像処理を行う。画像記録処理には、ガンマ補正、シャープネス、ホワイトバランス補正等のカメラ処理や、ＪＰＥＧ(Joint Photographic Experts Group)方式等による画像の圧縮処理が含まれる。
画像記録部１３は、画像記録処理部１２で処理された撮像信号を記録媒体に記録する。記録媒体としては、内蔵半導体メモリや、カード型フラッシュメモリ等が用いられる。
【００２８】
画像再生処理部１４は、画像記録部１３に記録されている画像信号を再生する。再生処理には、ＪＰＥＧ方式等による画像の伸張処理が含まれる。画像再生処理部１４で再生された画像は、表示部１８に表示される。表示部１８としては、例えば、液晶ディスプレイが用いられる。
【００２９】
画像エンジン１５は、画像記録処理部１２からの撮像部１１で撮像されている画像又は画像再生処理部１４からの画像記録部１３から再生されている画像を分析して、被写体となる人物の特徴や癖に基づく被写体関連情報を取得する。画像エンジン１５は、個人認証部２１、顔検出部２２、笑顔検出部２３、まばたき検出部２４、赤目検出部２５等を有している。これらにより、被写体の人物の個人認証（例えば顔認証による人物の特定）が行われ、また、被写体関連情報として、顔の緊張度、笑顔度、まばたき度、赤目度等が取得できる。
【００３０】
被写体分析エンジン１６は、被写体関連情報取得及び働きかけ要否決定部（被写体関連情報取得部）３１と、操作履歴データベース（記憶部）３２と、働きかけ実行部３３と、ルールデータベース（ルール記憶部）３４と、行動制御部３５とを有している。
【００３１】
被写体関連情報取得及び働きかけ要否決定部３１は、画像エンジン１５を用いて被写体の人物毎の被写体関連情報を取得し、操作履歴データベース３２への読み出し／書き込みを行う。すなわち、被写体関連情報取得及び働きかけ要否決定部３１は、カメラ撮影時に個人認証を行い、画像エンジン１５により、その人物の緊張度、笑顔度、まばたき度、赤目度等を分析し、個人毎の特徴や癖等の被写体関連情報を抽出し、これらの被写体関連情報を、撮影条件に応じて重み付けして、操作履歴データベース３２に記述する。また、既に個人認証済みの人物を撮影する場合、被写体関連情報取得及び働きかけ要否決定部３１は、操作履歴データベース３２から設定ファイルを読み出して、被写体（個人認証済みの人物）の撮影条件（緊張度の大きさ、笑顔度の大きさ、赤目度、まばたき度数等）に基づいて、働きかけ実行部３３に指示を出力する。その際、携帯端末装置１は、現在地を測位する位置検出部１７と、各場所（撮影地）に関する豆知識等を予め記憶する位置関連情報提供部３６とを備えており、被写体関連情報取得及び働きかけ要否決定部３１は、必要に応じて、撮影時の位置情報と当該位置に関する豆知識とを取得し、働きかけ実行部３３および音声再生部４１を介して、取得した豆知識を被写体に披露する。
【００３２】
働きかけ実行部３３は、被写体関連情報取得及び働きかけ要否決定部３１からの被写体の撮影条件に基づく指示を実行する。働きかけ実行部３３からの働きかけとは、例えば、緊張し易い被写体であるときに、音声再生部４１から撮影地に関する豆知識に関する音声を出力して被写体の緊張をほぐすことであり、また、笑顔度が低い被写体であるときに、音声再生部４１から「はいチーズ」あるいは冗談を発音して被写体が笑うように仕向けることであり、また、赤目になり易い被写体であるときに、フラッシュランプ４２から赤目防止光を発することであり、また、まばたきし易い被写体であるときに、音声再生部４１から、まばたきを我慢するタイミングを指示する、あるいは、撮像装置を注視するよう促しなどを出力して、まばたきを抑制することである。さらに、働きかけ実行部３３は、表示部３８にアドバイスを表示したり、画像記録部１２での画像処理パラメータを設定したりすることができる。
【００３３】
ルールデータベース３４は、実行される動作を記述したデータベースである。ルールデータベース３４に記述されるルール群は、以下のようなものである。
【００３４】
（１）カメラ撮影時、被写体に対して個人認証を行い、画像エンジン１５で個人毎の特徴や癖を抽出して、必要であれば撮影時の位置情報と併せて操作履歴データベース３２内に保持する。
【００３５】
（２）個人認証時、画像エンジン１５の顔検出部２２で緊張度が大きいと判断した人物に対しては、次回撮影時に、音声再生部４１から撮影地に関する豆知識に関する音声を出力して被写体の緊張をほぐす。
【００３６】
（３）個人認証時、画像エンジン１５の笑顔検出部２３で笑顔度が低いと判断した人物に対しては、次回撮影時に、「はいチーズ」あるいは冗談を発音して被写体が笑うように仕向ける。
【００３７】
（４）個人認証時、画像エンジン１５の赤目検出部２５で赤目になり易いと判断した人物に対しては、次回撮影時に、フラッシュランプ４２から赤目防止光を発して、赤目補正を適用する。
【００３８】
（５）カメラ撮影時、画像エンジン１５のまばたき検出部２４でまばたきが検出され、再度撮り直しを行った人物に対しては、次回撮影時に、まばたきを我慢するタイミングを指示する、あるいは、撮像装置を注視する促しなどを出力して、まばたきを抑制する。
【００３９】
（６）カメラ撮影時、個人認証済みの被写体の場合は、操作履歴データベース３２から設定ファイルを読み出して、被写体にふさわしい撮影条件を読み出し、撮影者へフィードバックやアドバイスする、あるいは、読み出した撮影条件に基づいてカメラ撮影を行う。
【００４０】
携帯端末装置１は、撮影モードとしてベストショットモードと通常撮影モードとを備える。ベストショットモードで撮影を行う際は、携帯端末装置１は、上述した働きかけを行う。これに対して、通常撮影モードで撮影を行う際は、携帯端末装置１は、上述した働きかけは行わない。一方、携帯端末装置１は、ベストショットモード、通常撮影モードのいずれにおいても、被写体の特徴や癖を示す被写体関連情報を取得して操作履歴データベース３２に保存する。
【００４１】
行動制御部３５は、ベストショットモードで撮影を行う際に、ルールデータベース３４からルールを読み込み、読み出されたルールに従って処理を行う。
【００４２】
図２は、操作履歴データベース３２に保持されている各個人の被写体関連情報を利用して働きかけを行ってカメラ撮影を行うときの処理を示すフローチャートである。
【００４３】
図２において、個人認証が終了したと判定されると（ステップＳ１）、被写体関連情報取得及び働きかけ要否決定部３１は、操作履歴データベース３２からその個人の被写体関連情報を読み出す（ステップＳ２）。そして、被写体関連情報取得及び働きかけ要否決定部３１は、先ず、操作履歴データベース３２から読み出した被写体関連情報に含まれる緊張度の情報から緊張度が大きい被写体か否かを判定する（ステップＳ３）。緊張度が大きい場合には、被写体関連情報取得及び働きかけ要否決定部３１は、撮影地に関する豆知識を操作履歴データベース３２から読み出し、働きかけ実行部３３に、撮影地に関する豆知識に関する音声を出力させるように指示し、音声再生部４１から、撮影地に関する豆知識に関する音声を出力させ被写体の緊張をほぐす（ステップＳ４）。
【００４４】
次に、被写体関連情報取得及び働きかけ要否決定部３１は、被写体関連情報に含まれる笑顔度の情報から笑顔度が低い被写体か否かを判定する（ステップＳ５）。笑顔度が低い場合には、被写体関連情報取得及び働きかけ要否決定部３１は、働きかけ実行部３３に、「はいチーズ」あるいは冗談を出力させるように指示し、音声再生部４１から、「はいチーズ」あるいは冗談を出力させ、被写体を笑顔にさせる（ステップＳ６）。
【００４５】
次に、被写体関連情報取得及び働きかけ要否決定部３１は、被写体関連情報に含まれるの赤目度の情報から、赤目度が大きい被写体（赤目になり易い被写体）か否かを判定する（ステップＳ７）。赤目度が大きい場合には、被写体関連情報取得及び働きかけ要否決定部３１は、働きかけ実行部３３に、赤目防止光を発するように発するように指示し、フラッシュランプ４２から赤目防止光を発光させる（ステップＳ８）。
【００４６】
次に、被写体関連情報取得及び働きかけ要否決定部３１は、被写体関連情報に含まれるまばたき情報から、まばだきし易い被写体か否かを判定する（ステップＳ９）。まばたきし易い場合には、被写体関連情報取得及び働きかけ要否決定部３１は、働きかけ実行部３３に、まばたきを我慢するタイミングを出力するように指示、あるいは、撮像装置を注視する促しを出力するように指示し、音声再生部４１から、まばたきを我慢するタイミングの指示、あるいは、撮像装置を注視する促しを出力させる（ステップＳ１０）。
【００４７】
このように、ステップＳ１〜ステップＳ９の処理により、被写体に対する働きかけが行われる。その後、撮像部１１は、被写体画像の撮像を行う（ステップＳ１１）。
【００４８】
以上説明したように、本発明の一実施形態では、カメラ撮影時の被写体となる人物に対して個人認証し、各個人の特徴や癖を被写体関連情報として履歴として保持し、次回、個人認証済みの人物を撮影する際に、被写体関連情報に応じて、働きかけを行うことができる。すなわち、次回、個人認証済みの人物を撮影する際に、被写体関連情報から、緊張し易い被写体であるときに、撮影地に関する豆知識を披露して被写体の緊張をほぐすことができ、また、笑顔度が低い被写体であるときに、「はいチーズ」あるいは冗談を発音して被写体が笑うように仕向けることができ、また、赤目になり易い被写体であるときに、赤目防止光を発することができ、また、まばたきを我慢するタイミングを指示する、あるいは、撮像装置を注視するよう促すなどして、まばたきを抑制することができる。
【００４９】
例えば、ユーザＡが、カメラ付き携帯端末装置１で人物Ｂを撮影する際、人物Ｂは、カメラ撮影に緊張することが多いとする。この場合、人物Ｂが撮影されると、画像エンジン１５の顔検出部２２は、緊張度大と検出する。この際、画像エンジン１５から抽出される被写体関連情報は、以下のようになる。
【００５０】
個人認証機能で認証した人物：人物Ｂ
被写体関連情報：緊張度大
設定ファイル：人物Ｂに対する被写体関連情報が紐付けられたファイル
【００５１】
これに基づいて、図３（Ａ）に示すように、操作履歴データベース３２の人物Ｂに紐付けされたファイルには、「緊張度」の欄に「大」が記述される。
【００５２】
後日、ユーザＡが観光地Ｘで人物Ｂを撮影するとする。この際、ユーザＡがカメラを起動し、ベストショットモードに設定すると、画像エンジン１５の個人認証部２１で被写体が人物Ｂと認識される。そして、被写体関連情報取得部及び働きかけ要否決定部３１により、操作履歴データベース３２から人物Ｂに紐付けられた設定ファイル（図３（Ａ））が読み出される。
【００５３】
図３（Ａ）に示すように、操作履歴データベース３２の設定ファイルから、人物Ｂは、緊張度が「大」と判定される。緊張度が大きい場合、被写体関連情報取得及び働きかけ要否決定部３１は、位置検出部１７から現在位置（撮像地）を示す情報を取得し、位置関連情報提供部が予め記憶する場所ごとの豆知識の中から、現在位置に関する豆知識を読み出す。そして、被写体関連情報取得及び働きかけ要否決定部３１は、読み出した豆知識と、この豆知識を披露する旨の指示とを働きかけ実行部３３に出力する。この指示に基づいて、働きかけ実行部３３は、音声再生部４１から、撮影地に関する豆知識に関する音声を出力する。これにより、人物Ｂを緊張をほぐすことができる。
【００５４】
また、例えば、ユーザＡがカメラ付き携帯端末装置１で人物Ｃを撮影する際、人物Ｃは赤目に写る事が多いとする。ここで、人物Ｃが撮影されると、画像エンジン１５の赤目検出部２５で赤目「大」が検出され、画像エンジン１５から抽出される被写体関連情報は、以下のようになる。
【００５５】
個人認証機能で認証した人物：被写体人物Ｃ
被写体関連情報：赤目度大
設定ファイル：被写体人物Ｃに対する被写体関連情報が紐付けられたファイル
【００５６】
これに基づいて、図３（Ｂ）に示すように、操作履歴データベース３２の人物Ｃの設定ファイルには、「赤目度」の欄に「大」が記述される。
【００５７】
後日、ユーザＡは人物Ｃを撮影するとする。ユーザＡはカメラを起動し、ベストショットモードに設定すると、個人認証機能で被写体がＣと認識される。そして、被写体関連情報取得部及び働きかけ要否決定部３１により、操作履歴データベース３２から「人物Ｂ」に紐付けられた設定ファイル（図３（Ｂ））が読み出される。
【００５８】
図３（Ｂ）に示すように、操作履歴データベース３２の設定ファイルから、人物Ｃは、赤目度が大きいと判定される。赤目度が大きい場合には、被写体関連情報取得及び働きかけ要否決定部３１から働きかけ実行部３３に赤目防止の指示が与えられ、フラッシュランプ４２から赤目防止光が発光される。これにより、人物Ｃの赤目を防止することができる。
【００５９】
以上のように、携帯端末装置１は、被写体の特徴や癖を示す被写体関連情報に基づいて、必要に応じて被写体への働きかけを行い、働きかけの後撮像を行う。これにより、被写体の緊張を解きほぐすなど、被写体を撮像に適した状態に導いて撮像を行うことができ、品質の高い画像を記録できる。
【００６０】
その際、携帯端末装置１は、被写体関連情報を用いて働きかけの要否を判定するので、撮影の直前における被写体の変化を防止することができる。例えば、まばたきし易い被写体に対しては、未だまばたきをしていなくても、まばたきを防止する働きかけを行うことができ、これによって、撮影の瞬間にまばたきすることを防止できる。
また、携帯端末装置１は、被写体関連情報を用いて働きかけの要否を判定するので、働きかけが不要な被写体であると判定した後は、被写体の表情や状態の検出をしなくてもよく、演算負荷や電力消費を抑えることができる。
【００６１】
また、携帯端末装置１は、撮影時に被写体関連情報を取得するので、ユーザは、被写体関連情報を取得するための特別な操作を行う必要が無い。この点で、ユーザの負担を小さくできる。
【００６２】
なお、上述の例では、カメラ付き携帯端末に適用した実施形態について説明したが、本発明は、これに限定されず、通常のデジタルカメラなど様々な撮像装置にも同様に適用できる。
【００６３】
また、上述の例では、被写体となる各個人の特徴や癖として、緊張度、笑顔度、まばたき度、赤目度を用いているが、各個人の特徴や癖として用いるものは、これに限定されるものではない。また、上述の例では、各個人の特徴や癖に対する働きかけとしては、緊張し易い被写体であるときに、撮影地に関する豆知識を披露して被写体の緊張をほぐし、笑顔度が低い被写体であるときに、冗談を発音して被写体が笑うように仕向け、赤目になり易い被写体であるときに、赤目防止光を発し、まばたきが多い場合に、我慢するタイミングを指示する、あるいは、撮像装置を注視するよう促すようにしているが、各個人の特徴や癖に対する働きかけとは、これに限定されるものではない。
【００６４】
また、携帯端末装置１が被写体関連情報を読み出すために被写体を識別する方法は、上述した個人認証を行う方法に限らない。例えば、ユーザが操作入力によって被写体の識別情報を入力するなど、被写体を識別可能な様々な方法を用いることが出来る。
【００６５】
なお、携帯端末装置１の各部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６６】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００６７】
１：携帯端末装置
１０：無線通信部
１１：撮像部
１２：画像記録処理部
１３：画像記録部
１４：画像再生処理部
１５：画像エンジン
１６：被写体分析エンジン
１７：位置検出部
１８：表示部
２１：個人認証部
２２：顔検出部
２３：笑顔検出部
２４：まばたき検出部
２５：赤目検出部
３１：被写体関連情報取得及び働きかけ要否決定部
３２：操作履歴データベース
３３：働きかけ実行部
３４：ルールデータベース
３５：行動制御部
３６：位置関連情報提供部
４１：音声再生部
４２：フラッシュランプ
【図１】
2012070222.tif 000003
【図２】
2012070222.tif 000004
【図３】
2012070222.tif 000005